(57)【要約】      （修正有）【課題】ルータに接続されるインターホンアダプタのＩＰアドレスが他の端末機器のＩＰアドレスと重複する確率を低減させるインターホンシステムを提供する。【解決手段】居室前に設置され居住者を呼び出す為の玄関子機と、各住戸内に設置される居室親機と、玄関子機または居室親機と通信する携帯端末と、携帯端末、居室親機間を通信するアダプタと、データの送受信を無線または有線で行うルータで構成されるインターホンシステムにおいてアダプタは、ルータからＩＰアドレスを割り当てられたＩＰアドレスを記憶するＩＰアドレス一次記憶手段と、ＩＰアドレスに特定値Ａを加算するＩＰアドレス加算手段と、ＩＰアドレス加算部で加算された当該ＩＰアドレスを自ＩＰアドレスとして登録するＩＰアドレス確定手段を備える。【選択図】図１
2011114703.tif 000002
【特許請求の範囲】
【請求項１】
居室前に設置され居住者を呼び出す為の玄関子機（３）と、各住戸内に設置される居室親機（２）と、前記玄関子機または前記居室親機と通信する携帯端末（５）と、前記携帯端末、前記居室親機間を通信するアダプタ（１）と、データの送受信を無線または有線で行うと共にＤＨＣＰサーバ機能を有したルータ（４）で構成されるインターホンシステムにおいて
前記アダプタは、前記ルータからＩＰアドレスを割り当てられた前記ＩＰアドレスを記憶するＩＰアドレス一次記憶手段と、前記ＩＰアドレスに特定値Ａを加算するＩＰアドレス加算手段と、前記ＩＰアドレス加算部で加算された当該ＩＰアドレスを自ＩＰアドレスとして登録するＩＰアドレス確定手段を備えたことを特徴とするインターホンシステム。
【請求項２】
前記アダプタは、前記ＩＰアドレス加算部に記憶されたＩＰアドレスと前記ルータに接続されたＬＡＮ端末の端末ＩＰアドレスを比較するＩＰアドレス比較部と、当該ＩＰアドレスと端末ＩＰアドレスが一致した時、当該ＩＰアドレスに特定値Ｂを加算する機能を備えた前記ＩＰアドレス加算手段を備えたことを特徴とする請求項１記載のインターホンシステム
【請求項３】
前記アダプタは、前記ＩＰアドレス加算手段で当該ＩＰアドレスを加算した結果、特定値Ｃを超えた場合に、前記ＩＰアドレス一次記憶手段に記憶された前記ＩＰアドレスを自ＩＰアドレスとして登録する前記ＩＰアドレス確定手段を備えたことを特徴とする請求項１または２項記載のインターホンシステム。
【発明の詳細な説明】
【技術分野】
【０００１】
本発明はインターホンシステムに係わり、ルータに接続されるインターホンアダプタのＩＰアドレスが他の端末機器のＩＰアドレスと重複する確率を低減させるインターホンシステムに関する。
【背景技術】
【０００２】
インターホンシステムは、携帯電話等の端末機器に呼出信号を送信し、居室親機と携帯電話とで通話することが知られている。例えば、特許文献１には、玄関に設置された玄関子機と、室内の居室親機と、玄関子機からの呼び出しを通知する携帯端末と、携帯端末に呼出信号を送信するための交換機と、携帯端末に呼出信号を無線で送信するための無線アクセスポイントで構成されたインターホンシステムが開示されている。
このようなインターホンシステムによれば、玄関子機から呼出操作を行ったとき、居室親機に呼出信号が送信されると共に、居室親機から交換機へ呼出信号が送信される。交換機では、ＩＰアドレスが登録された携帯端末へ呼出信号を送信する。このとき、携帯端末で応答することによって、携帯電話と玄関子機間で通話を行うことができる。
【０００３】
また、特許文献２には、ＤＨＣＰ機能によってＩＰアドレスを取得すると、その後以降ＤＨＣＰ機能によってＩＰアドレスの取得を無効とする端末機器が開示されている。
【先行技術文献】
【特許文献】
【０００４】
【特許文献１】特開２００７−０９６７７０公報
【特許文献２】特開２００６−００５８２０公報
【発明の開示】
【発明が解決しようとする課題】
【０００５】
しかしながら、背景技術に記載した特許文献１のインターホンシステムに特許文献２の端末機器のＩＰアドレスの登録する方法を適用すると、玄関子機からの呼び出しに応答できる携帯端末のＩＰアドレスの登録は、無線ＬＡＮ接続されているルータの電源が再投入した場合、ＤＨＣＰ機能によってＩＰアドレスが変更され、ＩＰアドレスが重複してしまう可能性があった。
【０００６】
そこで、本発明はこのような問題点に鑑み解決するためになされたもので、インターホンと携帯端末が連動するシステムにおいて、固定ＩＰアドレス設定が必要となるインターホンアダプタのＩＰアドレスがＤＨＣＰ機能によって他の端末機器のＩＰアドレスと重複する確率を低減させるインターホンシステムを提供する。
【課題を解決するための手段】
【０００７】
上述の目的を達成するため、本発明の第１の態様であるインターホンシステムは、居室前に設置され居住者を呼び出す為の玄関子機と、各住戸内に設置される居室親機と、玄関子機または居室親機と通信する携帯端末と、携帯端末、居室親機間を通信するアダプタと、データの送受信を無線または有線で行うルータで構成されるインターホンシステムにおいてアダプタは、ルータからＩＰアドレスを割り当てられたＩＰアドレスを記憶するＩＰアドレス一次記憶手段と、ＩＰアドレスに特定値Ａを加算するＩＰアドレス加算手段と、ＩＰアドレス加算部で加算された当該ＩＰアドレスを自ＩＰアドレスとして登録するＩＰアドレス確定手段を備えたことを特徴とする。
【０００８】
また、本発明の第２の態様であるインターホンシステムは、アダプタは、ＩＰアドレス加算部に記憶されたＩＰアドレスとルータに接続されたＬＡＮ端末の端末ＩＰアドレスを比較するＩＰアドレス比較部と、当該ＩＰアドレスと端末ＩＰアドレスが一致した時、当該ＩＰアドレスに特定値Ｂを加算する機能を備えたＩＰアドレス加算手段を備えたことを特徴とする。
【０００９】
また、本発明の第３の態様であるインターホンシステムは、アダプタは、ＩＰアドレス加算手段で当該ＩＰアドレスを加算した結果、特定値Ｃを超えた場合に、ＩＰアドレス一次記憶手段に記憶されたＩＰアドレスを自ＩＰアドレスとして登録するＩＰアドレス確定手段を備えたことを特徴とする。
【００１０】
請求項１の発明によれば、ＤＨＣＰによってＩＰアドレスを登録する際に、ＤＨＣＰから取得したＩＰアドレスに特定値を加えることで、同一ネットワーク上の他の機器で実行されるＤＨＣＰが割り当てるＩＰアドレスと重複する確率を低減する。
請求項２の発明によれば、ＩＰアドレスが同一ネットワーク内の他の機器で存在しないかを確認し、存在した場合は特定値を加えて、同一ネットワーク上の他の機器で実行されるＤＨＣＰが割り当てるＩＰアドレスと重複する確率を低減する。
請求項３の発明によれば、ＤＨＣＰによるＩＰアドレスを登録する際に、所定のＩＰアドレスと同一ネットワーク内の他の機器と重複した場合、ＤＨＣＰから取得したＩＰアドレスを登録することで、同一ネットワーク上の他の機器で実行されるＤＨＣＰが割り当てるＩＰアドレスと重複する確率を低減する。
【図面の簡単な説明】
【００１１】
【図１】本発明に係る実施形態であるインターホンシステムのシステム構成図である。
【図２】本発明に係る実施形態であるインターホンシステムのフローチャートである。
【発明を実施するための形態】
【００１２】
以下、本発明によるインターホンシステムを適用した好ましい形態の実施例について、図面を参照して説明する。
図１はインターホンシステムのシステム構成図を示している。本発明のインターホンシステムは、玄関に設置され居住者を呼び出す為の玄関子機３と、住戸内に設置される居室親機２と、玄関子機３または居室親機２と通信する携帯端末５と、玄関子機３からの呼び出しを携帯端末５に送信するためのアダプタ１と、データの送受信を無線または有線で行うと共に、ＤＨＣＰサーバ機能を有したルータ４と、ルータ４に無線または有線で接続されている端末機器６、７で構成される。
【００１３】
ここで、予め端末機器６のＩＰアドレスを［１９２．１６８．１．７０］、端末機器７のＩＰアドレスを［１９２．１６８．１．１1］と設定されている時、ＤＨＣＰ機能によってアダプタ１のＩＰアドレスを割り当てる処理を図２のフローチャートを用いて説明する。
玄関子機３と居室親機２と携帯端末５と通信するためのアダプタ１をルータ４に接続すると、ルータ４のＤＨＣＰ機能を元に、アダプタ１からルータ４に対してＩＰアドレス取得要求（Ｓ１）を行う。ルータ４は使用されていないＩＰアドレス［１９２．１６８．１．１０］をアダプタ１に送信（Ｓ２）すると、アダプタ１は送信されてきたＩＰアドレスに特定値A、例えば６０を加算（Ｓ３）して［１９２．１６８．１．７０］とする。するとアダプタ１は、ARP機能によってルータ４を介してＩＰアドレスが登録されているＬＡＮ機器のＩＰアドレスと自ＩＰアドレス［１９２．１６８．１．７０］が重複していないか確認（Ｓ４）する。すると、ＩＰアドレスが［１９２．１６８．１．７０］である端末機器７から応答が返ってくる。するとアダプタ１は、ＩＰアドレスに特定値B、例えば７を加算（Ｓ５）して［１９２．１６８．１．７７］とする。そこで再度、アダプタ１は、ARP機能によってルータ４を介してＩＰアドレスが登録されているＬＡＮ機器のＩＰアドレスと自ＩＰアドレス［１９２．１６８．１．７７］が重複していないか確認（Ｓ６）する。このとき、重複しているＬＡＮ機器から応答がないため、アダプタ１のＩＰアドレスを固定値として［１９２．１６８．１．７７］と登録（Ｓ８）する。このとき、再度重複した場合には、ＩＰアドレスに特定値７を加算して重複しないＩＰアドレスとなるまで繰り返す。また、このときＩＰアドレスが所定値以上例えば、［１９２．１６８．１．２５５］以上となった場合（Ｓ７）には、ルータ４から送信されてきたＩＰアドレス［１９２．１６８．１．１０］をアダプタ１のＩＰアドレスとして登録（Ｓ９）する。
【００１４】
ＤＨＣＰ機能にてアダプタ１がＩＰアドレスを取得後、アダプタ１に登録されたＩＰアドレスを携帯端末５に登録することによって、携帯端末５でアダプタ１のＩＰアドレスを指定しアダプタ１間の通信が可能となる。従って、携帯端末５とアダプタ１間の通信を確立させることで玄関子機３または居室親機２と通信・通話することができる。
【００１５】
この動作を行って、アダプタ１のＩＰアドレスを固定値にすることで、ルータ４によるＤＨＣＰ機能が動作しても、アダプタ１のＩＰアドレスと重複する可能性は低くなるため、通信異常を防ぐことができる。例えば、ルータ４の電源を再投入した時、端末機器６及び端末機器７はルータ４のＤＨＣＰ機能によって、ＩＰアドレスが再度割り当てられるが、アダプタ１のＩＰアドレスは固定値であるため、［１９２．１６８．１．７７］のまま保たれる。従って、他のＬＡＮ機器のＩＰアドレスは再割り当てされても、重複しにくいＩＰアドレスになっているため、ＩＰアドレス重複による通信の異常を防ぐことができる。
【符号の説明】
【００１６】
１・・・              アダプタ
２・・・              居室親機
３・・・              玄関子機
４・・・              ルータ
５・・・              携帯端末
【図１】
2011114703.tif 000003
【図２】
2011114703.tif 000004